(57)【要約】  【課題】  光ディスクを挿入又は排出するときにディスクトレイとトレイドアとを円滑に連携させて動作させるとともに、トレイドアに荷重が付与されても、トレイが凹むのを抑制し、前記トレイドアとその他との接触、摺接による異音の発生を抑制する。  【解決手段】  ドア本体３１の裏面３０に間隔をあけて一体突設される複数の（ここでは、５個）のガイドリブ３４と、ドア本体３１の長手方向の略中央にトレイドア３が閉じたときにディスクトレイ２の前面と接触又はわずかな間隙を開けて配置される凹み防止用リブ３５とを有するトレイドア３。【選択図】      図３
2006302374.tif 000002
【特許請求の範囲】
【請求項１】
光ディスクを配置し前後進可能なディスクトレイと、前記光ディスクを挿入又は排出す
るときに前記ディスクトレイが貫通する開口部を有する前面パネルと、前記開口部に開閉
可能に取り付けられ常時閉鎖する方向に付勢されるトレイドアとを有する光ディスク装置
であって、
前記前面パネルは前記開口部の上側に形成され前記トレイドアが閉鎖状態のときに該ト
レイドアの上部と係合するトレイドア停止リブと、前記開口部の下側に形成される目隠し
用リブと、前面パネルの裏面に一体突設され前記トレイドアを回動可能に支持するための
一対のトレイドア取付部と、前記トレイドアを常時閉鎖方向に付勢するばねとを有してお
り、
前記トレイドアは長尺形状を有するドア本体と、前記ドア本体の裏側に前記ディスクト
レイの前後進方向に沿って一体突設される５個のガイドリブと、前記ドア本体の裏側に該
ドア本体の長手方向に沿って一体突設される３個の横リブと、前記ドア本体の長手方向中
央部の下部に長手方向に沿って一体突設される凹み防止用リブと、前記ドア本体の裏側に
一体突設され、前記前面パネルの背面に形成されたトレイドア取付部と係合するための一
対の取付部とを有しており、
前記５個のガイドリブは前記トレイドアの上部で同じ高さになるように形成されており
、並んで配置され、該５個のガイドリブの中央に配置される中央ガイドリブと両端部に配
置される端部ガイドリブを有しており、前記ガイドリブのトレイドア上部での高さと前記
凹み防止リブの高さを円滑に且つ連続して接続する曲面形状を有しており、前記凹み防止
リブと連結するものであり、前記端部ガイドリブは上部に前記トレイドアの長手方向に延
び、前記ディスクトレイの下面の端部が摺接するトレイ摺接部とを有しており、
前記ディスクトレイが収納されているとき、前記トレイドアは上部が開口部のトレイド
ア停止用リブと接触し、トレイドアの裏面に設けられた凹み防止用リブと前記ディスクト
レイの前面との隙間が小さくなり、前記トレイドアに荷重が付与されると、前記凹み防止
用リブと前記ディスクトレイの前面とが接触し、
前記ディスクトレイは、前記トレイドアの前記中央ガイドリブの曲面部を円滑に摺接し
て前進し、全てのガイドリブで支持された後、下面の端部両端部が前記端部ガイドリブの
トレイ摺接部と摺接することを特徴とする光ディスク装置。
【請求項２】
光ディスクを配置し前後進可能なディスクトレイと、前記光ディスクを挿入又は排出す
るときに前記ディスクトレイが貫通する開口部を有する前面パネルと、前記開口部に開閉
可能に取り付けられ常時閉鎖する方向に付勢されるトレイドアとを有する光ディスク装置
において、
前記前面パネルは前記開口部の上側に形成され前記トレイドアが閉鎖状態のときに該ト
レイドアの上部と係合するトレイドア停止リブと、前面パネルの裏面に一体突設され前記
トレイドアを回動可能に支持するための複数のトレイドア取付部と、前記トレイドアを常
時閉鎖方向に付勢する弾性部材とを有しており、
前記トレイドアは長尺形状を有するドア本体と、前記ドア本体の裏側に前記ディスクト
レイの前後進方向に沿って一体突設される少なくとも３個のガイドリブと、前記ドア本体
の長手方向中央部の下部に長手方向に沿って一体突設される凹み防止用リブと、前記ドア
本体の裏側に一体突設され、前記前面パネルの背面に形成されたトレイドア取付部と係合
するための複数の取付部とを有しており、
前記ガイドリブは前記トレイドアの上部で同じ高さになるように形成されており、並ん
で配置され、前記複数のガイドリブのうち中央に配置される中央ガイドリブと両端部に配
置される端部ガイドリブを有しており、前記中央ガイドリブは前記ガイドリブのトレイド
ア上部での高さと前記凹み防止リブの高さを円滑に且つ連続して接続する形状を有してお
り、前記端部ガイドリブは上部に前記トレイドアの長手方向に延び、前記ディスクトレイ
の下面の端部が摺接するトレイ摺接部とを有しており、
前記ディスクトレイが収納されているとき、前記トレイドアは上部が開口部のトレイド
ア停止用リブと接触し、トレイドアの裏面に設けられた凹み防止用リブと前記ディスクト
レイの前面との隙間が小さくなり、前記トレイドアに荷重が付与されると、前記凹み防止
用リブと前記ディスクトレイの前面とが接触し、
前記ディスクトレイは、前記トレイドアの前記中央ガイドリブの曲面部を円滑に摺接し
て前進し、全てのガイドリブで支持された後、下面の端部両端部が前記端部ガイドリブの
トレイ摺接部と摺接することを特徴とする光ディスク装置。
【請求項３】
前記中央ガイドリブは滑らかな曲面状に形成されていることを特徴とする請求項２に記
載の光ディスク装置。
【請求項４】
前記中央ガイドリブは緩やかな傾斜の直線状に形成されていることを特徴とする請求項
２に記載の光ディスク装置。
【請求項５】
前記ガイドリブのうち前記凹み防止リブと連結可能なものは、前記中央ガイドリブと同
じ形状を有していることを特徴とする請求項２から請求項４のいずれかに記載の光ディス
ク装置。
【請求項６】
光ディスクを配置し前後進可能なディスクトレイと、前記光ディスクを挿入又は排出す
るときに前記ディスクトレイが貫通する開口部を有する前面パネルとを有する光ディスク
装置に取り付けられ、前記開口部に開閉可能に取り付けられ常時閉鎖する方向に付勢され
、前記ディスクトレイの前進により押されて開くトレイドアであって、
前記トレイドアは長尺形状を有するドア本体と、前記ドア本体の裏側に前記ディスクト
レイの前後進方向に沿って一体突設される５個のガイドリブと、前記ドア本体の裏側に該
ドア本体の長手方向に沿って一体突設される３個の横リブと、前記ドア本体の長手方向中
央部の下部に長手方向に沿って一体突設される凹み防止用リブと、前記ドア本体の裏側に
一体突設され、前記前面パネルの背面に形成されたトレイドア取付部と係合するための一
対の取付部とを有しており、
前記５個のガイドリブは前記トレイドアの上部で同じ高さになるように形成されており
、並んで配置され、該５個のガイドリブの中央に配置される中央ガイドリブと両端部に配
置される端部ガイドリブを有しており、前記ガイドリブのトレイドア上部での高さと前記
凹み防止リブの高さを円滑に且つ連続して接続する曲面形状を有しており、前記凹み防止
リブと連結するものであり、前記端部ガイドリブは上部に前記トレイドアの長手方向に延
び、前記ディスクトレイの下面の端部が摺接するトレイ摺接部とを有することを特徴とす
るトレイドア。
【請求項７】
光ディスクを配置し前後進可能なディスクトレイと、前記光ディスクを挿入又は排出す
るときに前記ディスクトレイが貫通する開口部を有する前面パネルとを有する光ディスク
装置に取り付けられ、前記開口部に開閉可能に取り付けられ常時閉鎖する方向に付勢され
、前記ディスクトレイの前進により押されて開くトレイドアであって、
前記トレイドアは長尺形状を有するドア本体と、前記ドア本体の裏側に前記ディスクト
レイの前後進方向に沿って一体突設される少なくとも３個のガイドリブと、前記ドア本体
の長手方向中央部の下部に長手方向に沿って一体突設される凹み防止用リブと、前記ドア
本体の裏側に一体突設され、前記前面パネルの背面に形成されたトレイドア取付部と係合
するための複数の取付部とを有しており、
前記ガイドリブは前記トレイドアの上部で同じ高さになるように形成されており、並ん
で配置され、前記複数のガイドリブのうち中央に配置される中央ガイドリブと両端部に配
置される端部ガイドリブを有しており、前記中央ガイドリブは前記ガイドリブのトレイド
ア上部での高さと前記凹み防止リブの高さを円滑に且つ連続して接続する形状を有してお
り、前記端部ガイドリブは上部に前記トレイドアの長手方向に延び、前記ディスクトレイ
の下面の端部が摺接するトレイ摺接部とを有することを特徴とするトレイドア。
【請求項８】
前記中央ガイドリブは滑らかな曲面状に形成されていることを特徴とする請求項７に記
載のトレイドア。
【請求項９】
前記中央ガイドリブは緩やかな傾斜の直線状に形成されていることを特徴とする請求項
７に記載のトレイドア。
【請求項１０】
前記ガイドリブのうち前記凹み防止リブと連結可能なものは、前記中央ガイドリブと同
じ形状を有していることを特徴とする請求項７から請求項８のいずれかに記載のトレイド
ア。
【発明の詳細な説明】
【技術分野】
【０００１】
本発明は、光ディスクを載置したトレイが挿入、排出されるときに開閉するトレイドア
及びこれを用いた光ディスク装置に関するものである。
【背景技術】
【０００２】
現在、音響機器、映像機器等の電子機器の多くは記録メディアとして光ディスクが採用
されることが多い。光ディスクを用いる電子機器（光ディスク装置）はトレイに光ディス
クを配置し、該トレイを摺動挿入又は排出することで、取り出し位置から再生／記録位置
へ又はその逆に搬送する。例えば前記光ディスク装置がＤＶＤ（Digital Versatile Disc
）プレーヤの場合、プレーヤに備えられたボタンや、リモートコントローラからの入力に
よって前記トレイの挿入、排出が行われる。
【０００３】
前記ＤＶＤプレーヤの前面のトレイが挿入、排出される部分には貫通孔が形成されてお
り、該貫通孔には該トレイがプレーヤ内部に挿入されている状態のときに、内部が見えな
いようにするとともに、外部からの異物の進入を抑制するためのトレイドアが取り付けら
れている。前記トレイドアは前記トレイが排出されるときは該トレイの動きにあわせて開
き、前記トレイが挿入されるときは該トレイの動きにあわせて閉じるように形成されてい
る。
【０００４】
前記トレイドアの開閉は特開２００３−５１１８１号公報に記載の発明のように、前記
トレイドアを常時閉じる方向に付勢しておき、前記トレイが排出されるとき、該トレイの
前面が前記トレイドアの背面を押すことで開き、前記トレイが挿入されるときに、前記ト
レイドアが該トレイに沿って動くことで閉じる。
【０００５】
図７に従来の光ディスク装置の正面図を示す。図７に示す光ディスク装置はそれには限
定されないが、ここではＤＶＤプレーヤである。図１に示すＤＶＤプレーヤＰＭは、前面
パネル９１を有しており、前面パネル９１にはＤＶＤメディアを挿入、排出するための開
口部９１１と、開口部９１１より前後進するディスクトレイ９２と、開口部９１１に取り
付けられた開閉可能なトレイドア９３とを有している。前面パネル９１にはＤＶＤメディ
アを挿入、排出するためのメディアボタン９１２と、電源ボタン９１３と、ＤＶＤプレー
ヤＰＭの状態を示す表示部９１４とが備えられている。
【０００６】
図８に従来の光ディスク装置の側断面図を示す。ＤＶＤプレーヤＰＭはディスクトレイ
９２を前進させることでディスクトレイ９２の前面９２１がトレイドア９３を押し、トレ
イドア９３が開き、開口部９１１よりディスクトレイ９２が突出する。開口部９１１より
突出したディスクトレイ９２に光ディスクを着脱することで、光ディスクの挿入／排出を
行うものである。
【０００７】
図７に示すように、トレイドア９３は樹脂製の長尺板状部材である。トレイドア９３は
両端部に側面視略コの字状の取付部９３１が突設されており、取付部９３１の先端に同心
状に一体的に突設した左右一対の支持軸９３２を有しており、支持軸９３２が前面パネル
９１の裏面に形成されたトレイドア取付部９１０に回動可能に取り付けられている。また
、一方の支持軸９３２に巻きまわしたばね９３３によって、トレイドア９３は閉じる方向
に付勢されている。
【０００８】
トレイドア９３の裏面にはディスクトレイ９２に摺接可能な複数（ここでは５個）の縦
リブ９３４が所定間隔をおいて、ディスクトレイ９２の前後進方向に沿って、トレイドア
９３と一体に突設されている。縦リブ９３４の先端部は外周縁が先すぼまり状に傾斜して
いる。左右両側の縦リブ９３４の先端部に縦リブ９３４と直交する向きに一体的に形成さ
れる凸状部（不図示）を有している。
【０００９】
ディスクトレイ９２が前進するとき、ディスクトレイ９２の前面９２１でトレイドア９
３の縦リブ９３４を押し、縦リブ９３４がディスクトレイ９２の前面９２１下端部と摺接
され、円滑にトレイドア９３が開く。ディスクトレイ９２がトレイドア９３を乗り越える
と、ディスクトレイ９２の両端部と凸状部（不図示）が接触した状態でディスクトレイ９
２が前進する。ディスクトレイ９２が後進すると、前進と逆の動きでトレイドア９３が閉
じる。
【００１０】
トレイドア９３は閉じたときに、前面パネル９１の開口部９１１の上部に設けられたド
ア停止用リブ９１２と接触して停止している。開口部９１１の下部にはトレイドア９３と
開口部９１１の間からＤＶＤプレーヤＰＭの内部が見えないようにする目隠し用リブ９１
３が設けられている。またトレイドア９３は横リブを有しており、トレイドア９３の動作
時の変形を防止している。
【特許文献１】特開２００３−５１１８１号公報
【発明の開示】
【発明が解決しようとする課題】
【００１１】
トレイドア９３に前面より荷重が加えられた場合、開口部９１１の下部に設けられた、
目隠し用リブ９１３がトレイドア９３の下部と係合しトレイドア９３が凹むのを防止して
いる。しかしながら、目隠し用リブ９１３はディスクトレイ９２との干渉を防ぐため開口
部９１１の下部から突出する量が少なく、トレイドア９３の下部に大きな力が加わると、
トレイドア９３の下部が目隠し用リブ９１３を乗り越えてしまう。
【００１２】
トレイドア９３の下部が目隠し用リブ９１３を乗り越えて凹んでしまうと、ＤＶＤプレ
ーヤＰＭの正面からの見た目が悪くなる。また、目隠し用リブ９１３とトレイドア９３の
下部がこすれて、異音が発生し、使用者に不快感を与える原因となる。また、トレイドア
９３とディスクトレイ９２とが勢いよく接触したとき等に、接触が激しいと打撃音が発生
する。この打撃音も使用者に不快感を与える原因となる。
【００１３】
そこで本発明は、光ディスクを挿入又は排出するときにディスクトレイとトレイドアと
を円滑に連携させて動作させることができる光ディスク装置を提供することを目的とする
。
【００１４】
また、本発明は、光ディスク装置のトレイドアに荷重が付与されても、トレイが凹むの
を抑制し、前記トレイドアとその他との接触、摺接による異音の発生を抑制し、使用者に
不快感を感じさせない光ディスク装置を提供することを目的とする。
【課題を解決するための手段】
【００１５】
上記目的を達成するために本発明は、光ディスクを配置し前後進可能なディスクトレイ
と、前記光ディスクを挿入又は排出するときに前記ディスクトレイが貫通する開口部を有
する前面パネルと、前記開口部に開閉可能に取り付けられ常時閉鎖する方向に付勢される
トレイドアとを有する光ディスク装置であって、前記前面パネルは前記開口部の上側に形
成され前記トレイドアが閉鎖状態のときに該トレイドアの上部と係合するトレイドア停止
リブと、前記開口部の下側に形成される目隠し用リブと、前面パネルの裏面に一体突設さ
れ前記トレイドアを回動可能に支持するための一対のトレイドア取付部と、前記トレイド
アを常時閉鎖方向に付勢するばねとを有しており、前記トレイドアは長尺形状を有するド
ア本体と、前記ドア本体の裏側に前記ディスクトレイの前後進方向に沿って一体突設され
る５個のガイドリブと、前記ドア本体の裏側に該ドア本体の長手方向に沿って一体突設さ
れる３個の横リブと、前記ドア本体の長手方向中央部の下部に長手方向に沿って一体突設
される凹み防止リブと、前記ドア本体の裏側に一体突設され、前記前面パネルの背面に形
成されたトレイドア取付部と係合するための一対の取付部とを有しており、前記５個のガ
イドリブは前記トレイドアの上部で同じ高さになるように形成されており、並んで配置さ
れ、該５個のガイドリブの中央に配置される中央ガイドリブと両端部に配置される端部ガ
イドリブを有しており、前記ガイドリブのトレイドア上部での高さと前記凹み防止リブの
高さを円滑に且つ連続して接続する曲面形状を有しており、前記凹み防止リブと連結する
ものであり、前記端部ガイドリブは上部に前記トレイドアの長手方向に延び、前記ディス
クトレイの下面の端部が摺接するトレイ摺接部とを有しており、前記ディスクトレイが収
納されているとき、前記トレイドアは上部が開口部のトレイドア停止用リブと接触し、ト
レイドアの裏面に設けられた凹み防止リブと前記ディスクトレイの前面との隙間が小さく
なり、前記トレイドアに荷重が付与されると、前記凹み防止リブと前記ディスクトレイの
前面とが接触し、前記ディスクトレイは、前記トレイドアの前記中央ガイドリブの曲面部
を円滑に摺接して前進し、全てのガイドリブで支持された後、下面の端部両端部が前記端
部ガイドリブのトレイ摺接部と摺接することを特徴とする。
【００１６】
この構成によると、前記トレイドアが閉じているときに外部より荷重が付与されても、
該トレイドアの裏面に設けられた前記凹み防止リブが、前記ディスクトレイの前面と接触
し、該トレイドアが変形するのを抑制する。これにより、前記トレイドアが凹み光ディス
ク装置の意匠性を損なうのを抑制することができる。
【００１７】
また、これにより、前記トレイドアが変形し、該トレイドアの下部が前記目隠し用リブ
を乗り越えることがない。すなわち、前記トレイドアの下部が前記目隠し用リブを乗り越
えるときの摩擦音の発生を防ぐことができ、それだけ、使用者に不快感を与える原因を取
り除くことができる。
【００１８】
さらに、前記ディスクトレイが前進し光ディスク装置より排出されるときに該ディスク
トレイが連続して接触する中央ガイドリブが備えられているので、前記トレイドアが前記
ディスクトレイに押されて開くときでも、常時接触した状態を保っているので、前記ディ
スクトレイと前記トレイドアとが勢いよく接触することがない。これにより、前記ディス
クトレイと前記トレイドアが接触するときの打撃音が発生するのを防ぐことができ、それ
だけ、使用者の使用感の悪さを取り除くことができる。
【００１９】
上記目的を達成するために本発明は、光ディスクを配置し前後進可能なディスクトレイ
と、前記光ディスクを挿入又は排出するときに前記ディスクトレイが貫通する開口部を有
する前面パネルと、前記開口部に開閉可能に取り付けられ常時閉鎖する方向に付勢される
トレイドアとを有する光ディスク装置であって、前記前面パネルは前記開口部の上側に形
成され前記トレイドアが閉鎖状態のときに該トレイドアの上部と係合するトレイドア停止
リブと、前面パネルの裏面に一体突設され前記トレイドアを回動可能に支持するための複
数のトレイドア取付部と、前記トレイドアを常時閉鎖方向に付勢する弾性部材とを有して
おり、前記トレイドアは長尺形状を有するドア本体と、前記ドア本体の裏側に前記ディス
クトレイの前後進方向に沿って一体突設される少なくとも３個のガイドリブと、前記ドア
本体の長手方向中央部の下部に長手方向に沿って一体突設される凹み防止リブと、前記ド
ア本体の裏側に一体突設され、前記前面パネルの背面に形成されたトレイドア取付部と係
合するための複数の取付部とを有しており、前記ガイドリブは前記トレイドアの上部で同
じ高さになるように形成されており、並んで配置され、前記複数のガイドリブのうち中央
に配置される中央ガイドリブと両端部に配置される端部ガイドリブを有しており、前記中
央ガイドリブは前記ガイドリブのトレイドア上部での高さと前記凹み防止リブの高さを円
滑に且つ連続して接続する形状を有しており、前記端部ガイドリブは上部に前記トレイド
アの長手方向に延び、前記ディスクトレイの下面の端部が摺接するトレイ摺接部とを有し
ており、前記ディスクトレイが収納されているとき、前記トレイドアは上部が開口部のト
レイドア停止用リブと接触し、トレイドアの裏面に設けられた凹み防止リブと前記ディス
クトレイの前面との隙間が小さくなり、前記トレイドアに荷重が付与されると、前記凹み
防止リブと前記ディスクトレイの前面とが接触し、前記ディスクトレイは、前記トレイド
アの前記中央ガイドリブの曲面部を円滑に摺接して前進し、全てのガイドリブで支持され
た後、下面の端部両端部が前記端部ガイドリブのトレイ摺接部と摺接することを特徴とす
る。
【００２０】
この構成によると、前記トレイドアが閉じているときに外部より荷重が付与されても、
該トレイドアの裏面に設けられた前記凹み防止リブが、前記ディスクトレイの前面と接触
し、該トレイドアが変形するのを抑制する。これにより、前記トレイドアが凹み光ディス
ク装置の意匠性を損なうのを抑制することができる。
【００２１】
また、これにより、前記トレイドアが変形し、該トレイドアの下部が前記目隠し用リブ
を乗り越えることがない。すなわち、前記トレイドアの下部が前記目隠し用リブを乗り越
えるときの摩擦音の発生を防ぐことができ、それだけ、使用者に不快感を与える原因を取
り除くことができる。
【００２２】
さらに、前記ディスクトレイが前進し光ディスク装置より排出されるときに該ディスク
トレイが連続して接触する中央ガイドリブが備えられているので、前記トレイドアが前記
ディスクトレイに押されて開くときでも、常時接触した状態を保っているので、前記ディ
スクトレイと前記トレイドアとが勢いよく接触することがない。これにより、前記ディス
クトレイと前記トレイドアが接触するときの打撃音が発生するのを防ぐことができ、それ
だけ、使用者の使用感の悪さを取り除くことができる。
【００２３】
上記構成の光ディスク装置において、前記中央ガイドリブは滑らかな曲面状に形成され
ていてもよく、緩やかな傾斜の直線状に形成されていてもよい。また、これらに限定され
るものではなく、前記ディスクトレイが前進するときに該ディスクトレイと前記トレイド
アの裏面とが円滑に連続して接触することができる形状を広く採用することができる。
【００２４】
また、前記ガイドリブのうち前記凹み防止リブと連結可能なものは、前記中央ガイドリ
ブと同じ形状を有していてもよい。前記中央ガイドリブと同じ形状のガイドリブが複数備
えられていることで、前記ディスクトレイが前進するときに前記トレイドアと安定して円
滑に且つ連続に接触することができる。また、前記トレイドアが閉じた状態のとき、凹み
防止リブが前記ディスクトレイの前面と当接した状態になるものであってもよい。
【００２５】
上記目的を達成するために本発明は、光ディスクを配置し前後進可能なディスクトレイ
と、前記光ディスクを挿入又は排出するときに前記ディスクトレイが貫通する開口部を有
する前面パネルとを有する光ディスク装置に取り付けられ、前記開口部に開閉可能に取り
付けられ常時閉鎖する方向に付勢され、前記ディスクトレイの前進により押されて開くト
レイドアであって、前記トレイドアは長尺形状を有するドア本体と、前記ドア本体の裏側
に前記ディスクトレイの前後進方向に沿って一体突設される５個のガイドリブと、前記ド
ア本体の裏側に該ドア本体の長手方向に沿って一体突設される３個の横リブと、前記ドア
本体の長手方向中央部の下部に長手方向に沿って一体突設される凹み防止リブと、前記ド
ア本体の裏側に一体突設され、前記前面パネルの背面に形成されたトレイドア取付部と係
合するための一対の取付部とを有しており、前記５個のガイドリブは前記トレイドアの上
部で同じ高さになるように形成されており、並んで配置され、該５個のガイドリブの中央
に配置される中央ガイドリブと両端部に配置される端部ガイドリブを有しており、前記ガ
イドリブのトレイドア上部での高さと前記凹み防止リブの高さを円滑に且つ連続して接続
する曲面形状を有しており、前記凹み防止リブと連結するものであり、前記端部ガイドリ
ブは上部に前記トレイドアの長手方向に延び、前記ディスクトレイの下面の端部が摺接す
るトレイ摺接部とを有することを特徴とする。
【００２６】
この構成によると、前記トレイドアが閉じているときに外部より荷重が付与されても、
該トレイドアの裏面に設けられた前記凹み防止リブが、前記ディスクトレイの前面と接触
し、該トレイドアが変形するのを抑制する。これにより、前記トレイドアが凹み光ディス
ク装置の意匠性を損なうのを抑制することができる。
【００２７】
また、これにより、前記トレイドアが変形し、該トレイドアの下部が前記目隠し用リブ
を乗り越えることがない。すなわち、前記トレイドアの下部が前記目隠し用リブを乗り越
えるときの摩擦音の発生を防ぐことができ、それだけ、使用者に不快感を与える原因を取
り除くことができる。
【００２８】
さらに、前記ディスクトレイが前進し光ディスク装置より排出されるときに該ディスク
トレイが連続して接触する中央ガイドリブが備えられているので、前記トレイドアが前記
ディスクトレイに押されて開くときでも、常時接触した状態を保っているので、前記ディ
スクトレイと前記トレイドアとが勢いよく接触することがない。これにより、前記ディス
クトレイと前記トレイドアが接触するときの打撃音が発生するのを防ぐことができ、それ
だけ、使用者の使用感の悪さを取り除くことができる。
【００２９】
上記目的を達成するために本発明は、光ディスクを配置し前後進可能なディスクトレイ
と、前記光ディスクを挿入又は排出するときに前記ディスクトレイが貫通する開口部を有
する前面パネルとを有する光ディスク装置に取り付けられ、前記開口部に開閉可能に取り
付けられ常時閉鎖する方向に付勢され、前記ディスクトレイの前進により押されて開くト
レイドアであって、前記トレイドアは長尺形状を有するドア本体と、前記ドア本体の裏側
に前記ディスクトレイの前後進方向に沿って一体突設される少なくとも３個のガイドリブ
と、前記ドア本体の長手方向中央部の下部に長手方向に沿って一体突設される凹み防止リ
ブと、前記ドア本体の裏側に一体突設され、前記前面パネルの背面に形成されたトレイド
ア取付部と係合するための複数の取付部とを有しており、前記ガイドリブは前記トレイド
アの上部で同じ高さになるように形成されており、並んで配置され、前記複数のガイドリ
ブのうち中央に配置される中央ガイドリブと両端部に配置される端部ガイドリブを有して
おり、前記中央ガイドリブは前記ガイドリブのトレイドア上部での高さと前記凹み防止リ
ブの高さを円滑に且つ連続して接続する形状を有しており、前記端部ガイドリブは上部に
前記トレイドアの長手方向に延び、前記ディスクトレイの下面の端部が摺接するトレイ摺
接部とを有することを特徴とするトレイドア。
【００３０】
この構成によると、前記トレイドアが閉じているときに外部より荷重が付与されても、
該トレイドアの裏面に設けられた前記凹み防止リブが、前記ディスクトレイの前面と接触
し、該トレイドアが変形するのを抑制する。これにより、前記トレイドアが凹み光ディス
ク装置の意匠性を損なうのを抑制することができる。
【００３１】
また、これにより、前記トレイドアが変形し、該トレイドアの下部が前記目隠し用リブ
を乗り越えることがない。すなわち、前記トレイドアの下部が前記目隠し用リブを乗り越
えるときの摩擦音の発生を防ぐことができ、それだけ、使用者に不快感を与える原因を取
り除くことができる。
【００３２】
さらに、前記ディスクトレイが前進し光ディスク装置より排出されるときに該ディスク
トレイが連続して接触する中央ガイドリブが備えられているので、前記トレイドアが前記
ディスクトレイに押されて開くときでも、常時接触した状態を保っているので、前記ディ
スクトレイと前記トレイドアとが勢いよく接触することがない。これにより、前記ディス
クトレイと前記トレイドアが接触するときの打撃音が発生するのを防ぐことができ、それ
だけ、使用者の使用感の悪さを取り除くことができる。
【００３３】
上記構成のトレイドアにおいて、前記中央ガイドリブは滑らかな曲面状に形成されてい
てもよく、緩やかな傾斜の直線状に形成されていてもよい。また、これらに限定されるも
のではなく、前記ディスクトレイが前進するときに該ディスクトレイと前記トレイドアの
裏面とが円滑に連続して接触することができる形状を広く採用することができる。
【００３４】
また、前記ガイドリブのうち前記凹み防止リブと連結可能なものは、前記中央ガイドリ
ブと同じ形状を有していてもよい。前記中央ガイドリブと同じ形状のガイドリブが複数備
えられていることで、前記ディスクトレイが前進するときに前記トレイドアと安定して円
滑に且つ連続に接触することができる。また、前記トレイドアが閉じた状態のとき、凹み
防止リブが前記ディスクトレイの前面と当接した状態になるものであってもよい。
【発明の効果】
【００３５】
本発明によると、光ディスクを挿入又は排出するときにディスクトレイとトレイドアと
を円滑に連携させて動作させることができる光ディスク装置を提供することができる。
【００３６】
また本発明によると、光ディスク装置のトレイドアに荷重が付与されても、トレイが凹
むのを抑制し、前記トレイドアとその他との接触、摺接による異音の発生を抑制し、使用
者に不快感を感じさせない光ディスク装置を提供することができる
【発明を実施するための最良の形態】
【００３７】
以下に本発明の実施形態を図面を参照して説明する。図１に本発明にかかる光ディスク
装置の一例の正面図を図２に図１に示す光ディスク装置の前面部のトレイが収納されてい
る状態の側断面図を示す。図１に示す光ディスク装置はそれには限定されないが、ここで
はＤＶＤプレーヤである。図１に示すＤＶＤプレーヤＰＬは、前面パネル１を有しており
、前面パネル１にはＤＶＤメディアを挿入、排出するための開口部１１と、開口部１１よ
り前後進ａ、ｂするディスクトレイ２と、開口部１１に取り付けられた開閉可能なトレイ
ドア３と、を有している。前面パネル１にはＤＶＤメディアを挿入、排出するためのメデ
ィアボタン１２と、電源ボタン１３と、ＤＶＤプレーヤＰＬの状態を示す表示部１４とが
備えられている。
【００３８】
図２に示すように前面パネル１は開口部１１と、開口部１１の上部にトレイドア３が閉
じるときに、閉じすぎないようにトレイドア３を停止するトレイドア停止リブ１１１と、
開口部１１の下部にトレイドア３が閉じた状態のときに、外部よりＤＶＤプレーヤＰＬ内
部が見えないようにするための目隠し用リブ１１２と、後述するトレイドア３の側面視略
コの字状の取付部３２に形成された支持軸３６と回動可能に嵌合するトレイドア取付部１
５とを有している。
【００３９】
図３にトレイドアの背面図を、図４に図３に示すトレイドアの側面図を示す示す。図３
、図４に示すようにトレイドア３は長尺形状のドア本体３１と、ドア本体３１の裏面３０
に形成される側面視略コの字形状の取付部３２と、ドア本体３１の裏面３０の長手方向に
間隔をあけて一体突設される複数の（ここでは、３個）横リブ３３と、間隔をあけて一体
突設される複数の（ここでは、５個）のガイドリブ３４と、ドア本体３１の長手方向の略
中央にトレイドア３が閉じたときにディスクトレイ２の前面と接触又はわずかな間隙を開
けて配置される凹み防止リブ３５と、取付部３２に一体突設される支持軸３６とを有して
いる。また、一方の支持軸３６に巻きまわした弾性部材（ここでは、ばね３７）によって
、トレイドア３は閉じる方向に付勢されている。
【００４０】
図３に示すように、ガイドリブ３４のうち左右端に配置される端部ガイドリブ３４１は
ドア本体３１の閉じたときに上部に来る部分がＴ字状のトレイ摺接部３４０が形成されて
いる。また、中央に配置される中央ガイドリブ３４２は凹み防止リブ３５の高さまで達し
ており他のガイドリブ３４に比べて高く形成されている。
【００４１】
図４に示すように、中央ガイドリブ３４２は凹み防止リブ３５と連結している部分（下
端部３ｄ）は凹み防止リブ３５と同じ高さに形成されており、上端部３ｕの横リブ３３は
他のガイドリブ３４と同じ高さになるように形成されている。中央ガイドリブ３４２は下
端部３ｄから上端部３ｕの横リブ３３にかけて、滑らかな曲線で形成されている。
【００４２】
図５、図６にディスクトレイがプレーヤから外部に排出されるときの側断面図を示す。
図２は例えば光ディスクが再生されている状態であり、ディスクトレイ２は収納された状
態になっている。また、トレイドア３は上端部３ｕの横リブ３３が前面パネル１のトレイ
ドア停止リブ１１１と接触し、閉じ位置で停止している。目隠し用リブ１１２はトレイド
ア３とは接触しないように配置されており、目隠し用リブ１１２が配置されていることで
トレイドア３と開口部１１との隙間より内部が見えるのを防いでいる。
【００４３】
ディスクトレイ２の前面２１とトレイドア３の凹み防止リブ３５は極小の隙間を開けた
状態で停止している。この状態でトレイドア３の長手方向中央部に荷重が付与すると、ト
レイドア３の上端部３ｕの横リブ３３はトレイドア停止リブ１１１と係合して停止してい
るので、へこまない。トレイドア３の下端部３ｄは凹み防止リブ３５がディスクトレイ２
の前面２１に接触してトレイドア３の変形を防止している。すなわち、トレイドア３が閉
じた状態で、トレイドア３に表面側から荷重が付与したとしても、トレイドア３は凹みに
くい。なお、トレイドア３が閉じた状態のときには、凹み防止リブ３５がディスクトレイ
２の前面２１と当接していてもよい。
【００４４】
図５に示すＤＶＤプレーヤＰＬの状態は、光ディスクを挿入するため又は取り替えるた
めにディスクトレイ２が前進し、トレイドア３がディスクトレイ２に押された状態である
。ディスクトレイ２は凹み防止用リブ３５を前面２１で押し、トレイドア３を支持軸３６
回りに回動させる。このとき、凹み防止用リブ３５はディスクトレイ２の前面２１と接触
した状態で、前面２１の下方に移動する。
【００４５】
凹み防止用リブ３５がディスクトレイ２の前面２１の最も下端部２１０に達すると、凹
み防止用リブ３５はディスクトレイ２と離れる。ディスクトレイ２の前面２１の下端部２
１０と中央ガイドリブ３４２とが連続的に接触し、ディスクトレイ２の前進にあわせて、
ディスクトレイ２の前面２１の下端部２１０と摺接する。ディスクトレイ２が凹み防止用
リブ３５を乗り越えたときに、トレイドア３がディスクトレイ２を叩いて発生する音を防
止することができる。
【００４６】
図６に示すようにさらにディスクトレイ２が進むと、中央ガイドリブ３４２以外のガイ
ドリブ３４もディスクトレイ２の前面２１の下端部２１０と接触しつつ摺動する。このよ
うにディスクトレイ２が前進するときに、中央ガイドリブ３４２のみが摺接している状態
から全てのガイドリブ３４が摺接する状態に円滑に切り替わるために、中央ガイドリブ３
４２の側面視の形状が滑らかな形状であればよい。
【００４７】
さらにディスクトレイ２が前進すると、ディスクトレイ２の下面は両端部にリブを有し
ている以外は下面よりも凹んだ形状に形成されており（不図示）、両端部のリブが端部ガ
イドリブ３４１のＴ字状のトレイ摺接部３４０と接触して摺動することで、ディスクトレ
イ２とトレイドア３との干渉を防いでいる。
【００４８】
ディスクトレイ２を収納するときは、上記とは逆の動作で収納することが可能である。
上記実施例において、中央ガイドリブ３４２は滑らかな曲面状に形成されているものを例
に説明しているが、緩やかな傾斜の直線状に形成されていてもよい。また、これらに限定
されるものではなく、ディスクトレイ２が前進するときにディスクトレイ２とトレイドア
３の裏面３０とが円滑に連続して接触することができる形状を広く採用することができる
。
【００４９】
また上記実施例では中央ガイドリブ３４２が１つのものを例に説明しているが、それに
限定されるものではなく、ガイドリブ３４のうち凹み防止リブ３５と連結可能な位置に形
成されているものは、中央ガイドリブ３４２と同じ形状を有していてもよい。中央ガイド
リブ３４２と同じ形状のガイドリブ３４が複数備えられていることで、ディスクトレイ２
が前進するときにトレイドア３と安定して円滑に且つ連続に接触することができる。
【００５０】
上記実施例において、光ディスク装置としてＤＶＤメディアの再生を行うＤＶＤプレー
ヤを採用しているが、それに限定されるものではなく、トレイを用いて光ディスクを挿入
する光ディスク装置（例えば、ＣＤ、ＬＤ等）を広く採用することができる。
【産業上の利用可能性】
【００５１】
本発明は、ＤＶＤ、ＣＤ、ＬＤ等のトレイを用いてメディアの挿入を行うことができる
光ディスク装置において適用することができる。
【図面の簡単な説明】
【００５２】
【図１】本発明にかかる光ディスク装置の一例の正面図である。
【図２】図１に示す光ディスク装置の前面部のトレイが収納されている状態の側断面図である。
【図３】トレイドアの背面図である。
【図４】図３に示すトレイドアの側面図である。
【図５】ディスクトレイがプレーヤから外部に排出されるときの側断面図である。
【図６】ディスクトレイがプレーヤから外部に排出されるときの側断面図である。
【図７】従来の光ディスク装置の一例の正面図である。
【図８】従来の光ディスク装置の側断面図である。
【符号の説明】
【００５３】
ＰＬ  ＤＶＤプレーヤ
１  前面パネル
１１  開口部
１１１  トレイドア停止リブ
１１２  目隠し用リブ
１２  メディアボタン
１３  電源ボタン
１４  表示部
１５  トレイドア取付部
２  ディスクトレイ
２１  前面
３  トレイドア
３１  ドア本体
３２  取付部
３３  横リブ
３４  ガイドリブ
３４０  摺接部
３４１  端部ガイドリブ
３４２  中央ガイドリブ
３５  凹み防止リブ
３６  支持軸
３７  弾性部材（ばね）
【図１】
2006302374.tif 000003
【図２】
2006302374.tif 000004
【図３】
2006302374.tif 000005
【図４】
2006302374.tif 000006
【図５】
2006302374.tif 000007
【図６】
2006302374.tif 000008
【図７】
2006302374.tif 000009
【図８】
2006302374.tif 000010